(57)【要約】【課題】干渉を用いた表示装置において、サブ画素の混合光と条件等色のサブ画素からの発光とを混合した場合に、その発光色を同一にすることができる表示装置を提供する。【解決手段】反射層と、発光層とが積層されている発光素子を複数有し、各発光素子は、前記発光層から前記反射層に向かい前記反射層で反射する光と、前記発光層から前記反射層とは反対側に向かう光との干渉を用いた表示装置において、前記複数の発光素子は、第１の発光素子と、前記第１の発光素子とは異なる発光色の第２の発光素子と、第１の発光素子の発光と第２の発光素子の発光とを混合したスペクトルと同一の発光スペクトルを有する第３の発光素子と、を有することを特徴とする表示装置。【選択図】図１４
2009037215.tif 000002
【特許請求の範囲】
【請求項１】
反射層と、発光層とが積層されている発光素子を複数有し、
各発光素子は、前記発光層から前記反射層に向かい前記反射層で反射する光と、前記発光層から前記反射層とは反対側に向かう光との干渉を用いた表示装置において、
前記複数の発光素子は、第１の発光素子と、前記第１の発光素子とは異なる発光色の第２の発光素子と、第１の発光素子の発光と第２の発光素子の発光とを混合したスペクトルと同一の発光スペクトルを有する第３の発光素子と、を有することを特徴とする表示装置。
【請求項２】
前記第１の発光素子と前記第２の発光素子とは基板に積層されており、
前記第３の発光素子は、前記第１の発光素子の発光スペクトラムを有する発光材料と前記第２の発光素子の発光スペクトラムを有する発光材料とが、前記基板における前記第１の発光素子と前記第２の発光素子とを積層した同一基板面上に複数積層されている構成であることを特徴とする請求項１に記載の表示装置。
【請求項３】
前記第１の発光素子と前記第２の発光素子とは基板に配置されており、
前記第３の発光素子は、前記第１の発光素子の発光スペクトラムを有する発光材料と前記第２の発光素子の発光スペクトラムを有する発光材料とが、前記基板における前記第１の発光素子と前記第２の発光素子とを配置した同一基板面上に複数配置されている構成であることを特徴とする請求項１に記載の表示装置。
【請求項４】
前記第１の発光素子の発光と前記第２の発光素子の発光との混合光と、前記第３の発光素子の発光との混合スペクトルと、
前記第１の発光素子の発光と前記第２の発光素子の発光と前記第３の発光素子の発光との混合光の混合スペクトルとは、視野角を表示面の法線方向から傾けても等しく変化することを特徴とする請求項１乃至請求項３のいずれか１項に記載の表示装置。
【請求項５】
前記第３の発光素子の発光色は白色であることを特徴とする請求項１乃至請求項４のいずれか１項に記載の表示装置。
【請求項６】
発光素子は有機発光素子であることを特徴とする請求項１乃至請求項５に記載の表示装置。
【請求項７】
請求項１乃至請求項６のいずれか１項に記載の表示装置を表示部として有することを特徴とする撮像装置。
【請求項８】
反射層と、発光層とが積層されている発光素子を複数有し、
各発光素子は、前記発光層から前記反射層に向かい前記反射層で反射する光と、前記発光層から前記反射層とは反対側に向かう光との干渉を用いた表示装置において、
前記複数の発光素子は、第１の発光素子と、前記第１の発光素子とは異なる発光色の第２の発光素子と、前記第１の発光素子及び第２の発光素子とは異なる発光色の第３の発光素子と、第１の発光素子、第２の発光素子及び第３の発光素子の発光を混合したスペクトルと同一の発光スペクトルを有する第４の発光素子と、を有することを特徴とする表示装置。
【請求項９】
前記第１の発光素子乃至第３の発光素子の発光色は、それぞれ、赤色、緑色、青色であり、前記第４の発光素子の発光色は、白色であることを特徴とする請求項８に記載の表示装置。
【発明の詳細な説明】
【技術分野】
【０００１】
本発明は表示装置及びそれを用いた撮像装置に関する。
【背景技術】
【０００２】
近年、有機エレクトロルミネッセンス（有機ＥＬ）の開発が盛んである。
【０００３】
例えば、特許文献１では、青（Ｂ）色系発光層と黄（Ｙ）色〜赤（Ｒ）色系発光層とを積層した白色系有機ＥＬ素子が開示されている。
【０００４】
また、基板上にサブ画素として赤、緑（Ｇ）、青を発色する材料及び有機層を積層成膜してマトリクス状に配置したカラー発光可能な表示装置が知られている。
【０００５】
同様な色構成の表示装置を得るために、基板上に白（Ｗ）色発光する材料及び有機層を積層成膜してマトリクス状に配置し、この上にＲ，Ｇ，Ｂのカラーフィルターを積層したカラー・マトリクス表示装置も知られている。
【０００６】
さらに、上記したカラーフィルターのＲ，Ｇ，Ｂとは別にカラーフィルターを設けないＷサブ画素を設けた、Ｒ，Ｇ，ＢとＷでカラー表示を行うマトリクス表示装置も知られている。例えば、特許文献２では、Ｒ，Ｇ，Ｂより多くの色のサブ画素を有する表示装置が開示されている。
【０００７】
このような素子の駆動方法として、特許文献２では、表示面内に配置されたＲ発光素子とＧ発光素子とＢ発光素子とＷ発光素子との発光を計算により混合することで、所望の色を生成することが開示されている。
【０００８】
一方、特許文献３では、「実際には、自発光材料によって得られる白の色度は、目標とする白の色度となっていない場合が多く、白表示専用の単位画素の白発光に対して、調色のためのＲＧＢ単位画素の発光を付加する必要がある」ことが開示されている。そして、Ｗ画素の発光色度が目標とする白の色度と異なる場合に、ＲＧＢ入力信号を混合する信号処理の手段が開示されている。
【０００９】
【特許文献１】特開２００３−２７２８５７号公報
【特許文献２】米国特許６５７０５８４号明細書
【特許文献３】特開２００６−１６３０６８号公報
【発明の開示】
【発明が解決しようとする課題】
【００１０】
上記の開示からは、Ｗサブ画素の発光色度を目標の白の色度とし、Ｒ＋Ｇ＋Ｂサブ画素群の発光色度に合わせることで、白表示の際にＷサブ画素の発光に調色のためのＲ＋Ｇ＋Ｂサブ画素群の発光を混合する必要がなくなると思われがちである。
【００１１】
しかしながら、干渉を用いない発光（ＰＬ発光など）の場合は、条件等色がそのまま発光色として表れ、それらを混合してもまた同色である。例えば、「サブ画素として用いられる発光素子の発光を一定量で混合した発光」と「サブ画素として用いられる発光素子の発光を一定量で混合した発光の混合スペクトラムとはスペクトラム形状は異なるが、条件等色のサブ画素からの発光」とを用意する。
【００１２】
以下、「サブ画素として用いられる発光素子の発光を一定量で混合した発光」は「サブ画素群の混合光」と省略する。「サブ画素として用いられる発光素子の発光を一定量で混合した発光の混合スペクトラムとはスペクトラム形状は異なるが、条件等色のサブ画素からの発光」は「条件等色のサブ画素からの発光」と省略する。
【００１３】
また、発光色の異なる複数のサブ画素の発光を合成したものを「＋」を用いて表すものとし、例えばＲサブ画素、Ｇサブ画素、Ｂサブ画素の発光を合成したものを「Ｒ＋Ｇ＋Ｂサブ画素群の発光」とする。
【００１４】
なお、サブ画素とは発光のＯＮ・ＯＦＦまたは階調の制御が可能な発光素子の単位のことを意味するものとし、画素とはサブ画素の集合であり、カラー表示する最小の単位のことを意味する。
【００１５】
これらの発光を干渉無しで混合した場合、「サブ画素群の混合光」及び「条件等色のサブ画素からの発光」の各々の発光と、これらの混合光とのＣＩＥ色度座標（以下、単に色度座標と省略する。）はともに等しくなる。
【００１６】
しかし、発光素子の発光と反射板の反射光との干渉を用いた表示装置の場合には、「サブ画素の混合光」と「条件等色のサブ画素からの発光」との色度座標は一致しない。
【００１７】
これは、一定条件の干渉構成で作られた表示装置では干渉による光の強弱が波長により特性を持つためである。そのため、それぞれ異なるスペクトラムを発光する前記の両発光の場合には干渉後のスペクトラムが変調され、スペクトラムの積分値より計算される色度座標もまた変わってしまうためである。
【００１８】
例えば、Ｂ＋Ｙサブ画素群に補助光として条件等色でスペクトラム違いのＷサブ画素を配置した場合も同様であり、干渉後のスペクトラムが変調され、スペクトラムの積分値より計算される色度座標も変わってしまう。
【００１９】
また、両者のスペクトラムは異なるため、Ｒ＋Ｇ＋Ｂサブ画素群の発光とＷサブ画素の発光との混合比率を変えた場合には、干渉後の色度が変化してしまう。
【００２０】
さらに、視野角を表示面の法線方向から傾けて干渉条件が変化した場合には、Ｂ＋Ｙサブ画素群の発光とＷサブ画素の発光との色度が変化して異なってしまう。
【００２１】
上記特許文献３では、Ｒ＋Ｇ＋Ｂサブ画素群＋Ｗサブ画素の場合に、Ｒ、又は／及び、Ｇ、又は／及び、Ｂを調色のために発光させている。この制御により色度を合わせることができる。しかし、両者のスペクトラムは異なるため、Ｒ＋Ｇ＋Ｂサブ画素群の発光とＷサブ画素の発光との混合比率を変えた場合には、干渉後の色度は変化してしまう。
【００２２】
また、視野角を表示面の法線方向から傾けて干渉条件が変化した場合には、Ｒ＋Ｇ＋Ｂサブ画素群の発光とＷサブ画素の発光との色度は変化して異なってしまうのは上記の例と同様である。
【００２３】
結果として、「サブ画素群の混合光」の色度座標と、「条件等色のサブ画素からの発光」の色度座標とを合わせて条件等色としても、これらのスペクトラムがずれていると、干渉後に表示装置の表示面から取り出される白の色度座標は想定値からずれてしまう。
【００２４】
なお、背景技術で挙げたカラーフィルター方式のＲ，Ｇ，Ｂ，Ｗの表示装置においても、白色のマトリクス基板上に置かれたＲ，Ｇ，Ｂカラーフィルターはそれぞれの波長域を狭める。そのため、これらＲ，Ｇ，Ｂの発光素子の発光を混合しても、混合光のスペクトラムはカラーフィルターを設けていないＷサブ画素の発光のスペクトラムと同じにはならない。
【００２５】
本発明は、干渉を用いた表示装置において、「サブ画素の混合光」と「条件等色のサブ画素からの発光」とを混合した場合に、その発光色を同一にすることができる表示装置を提供することを目的とする。さらに、前記表示装置を用いた撮像装置を提供することを目的とする。
【課題を解決するための手段】
【００２６】
上記課題を解決するための手段として、本発明は、
反射層と、発光層とが積層されている発光素子を複数有し、
各発光素子は、前記発光層から前記反射層に向かい前記反射層で反射する光と、前記発光層から前記反射層とは反対側に向かう光との干渉を用いた表示装置において、
前記複数の発光素子は、第１の発光素子と、前記第１の発光素子とは異なる発光色の第２の発光素子と、第１の発光素子の発光と第２の発光素子の発光とを混合したスペクトルと同一の発光スペクトルを有する第３の発光素子と、を有することを特徴とする。
【発明の効果】
【００２７】
本発明によれば、干渉による色度ずれがない混合光を得ることが可能となる。つまり、干渉を用いた表示装置においても、「サブ画素群の混合光」と「条件等色のサブ画素からの発光」とを混合した場合に、その発光色を同一にすることができる。
【００２８】
また、「サブ画素群の混合光」と「条件等色のサブ画素からの発光」との混合比率を変えて混合しても、干渉後の取り出し光の色度座標は変化しない。
【００２９】
さらに、視野角を表示面の法線方向から傾けて干渉の条件が変わっても、干渉後の取り出し光の色度座標は変化しない。
【発明を実施するための最良の形態】
【００３０】
本発明に係る表示装置及びそれを用いた撮像装置の実施形態を説明する。
【００３１】
先ず、本発明に係る表示装置及びそれを用いた撮像装置の実施形態を説明する前に、上述した従来の表示装置における課題を確認した。
【００３２】
図２０で示すサブ画素配置とするべく、Ｒ，Ｇ，Ｂ，Ｗの発光素子を図２１に示すような縦構造で作製した。なお、これらの発光素子は図２２に示されるように、それぞれ独立で発光量が制御されている。
【００３３】
前記Ｒ，Ｇ，Ｂ，Ｗの発光素子はそれぞれ図９の如きデバイス構造としている。ここで、１０はガラスの基板、１１は反射性の金属の陽極（反射電極）、１２は正孔輸送層、１３は発光層、１４は電子輸送層、１５は電子注入層、１６は透明導電性の陰極（透明電極）を示す。
【００３４】
前記発光素子は、電子と正孔とが発光層１３で再結合し材料固有の発光をする。この際、透明電極１６側に放射される光と反射電極１１からの光とが干渉し合い、前記透明電極１６側からの光は材料単体のＰＬ発光色と異なったものとなる。
【００３５】
ここで、Ｒの発光素子（サブ画素）において、発光層１３の構成材料として、図３で示されるＰＬ（フォトルミネッセンス）スペクトラム形状のＲ発光材料を用いた。また、Ｇの発光素子（サブ画素）において、発光層１３の構成材料として、図４で示されるＰＬスペクトラム形状のＧ発光材料を用いた。一方、Ｂの発光素子（サブ画素）において、発光層１３の構成材料として、図５で示されるＰＬスペクトラム形状のＢ発光材料を用いた。
【００３６】
一方、Ｗサブ画素の発光層１３としては、図２３で示されるＰＬスペクトラム形状のＷ発光材料を用いた。ここでＷサブ画素の発光層１３の材料は、ＢとＹとの発光材料を混合したため、そのＰＬスペクトラムは図２３の如き形状となった。
【００３７】
干渉効果を考慮しない場合、これら２種（Ｒ＋Ｇ＋Ｂサブ画素群の発光とＢ＋Ｙサブ画素（Ｗサブ画素）の発光）の白のＰＬ発光の色度座標はそれぞれ表１、表２のような条件等色であった。
【００３８】
【表１】
2009037215.tif 000003
【００３９】
【表２】
2009037215.tif 000004
【００４０】
干渉効果を考慮したＲ＋Ｇ＋Ｂサブ画素群の発光と、Ｗサブ画素の発光との色度座標を測定した。表３、表４にそれぞれの白の色度座標を表す。
【００４１】
【表３】
2009037215.tif 000005
【００４２】
【表４】
2009037215.tif 000006
【００４３】
材料単体のＰＬ発光で干渉効果を考慮しない場合には、Ｒ＋Ｇ＋Ｂサブ画素群の発光とＷサブ画素の発光とは条件等色の色度座標であった。しかし、干渉効果を考慮したサブ画素からの光では、Ｒ＋Ｇ＋Ｂサブ画素群の発光の色度座標とＷサブ画素の発光の色度座標とがずれてしまう。
【００４４】
したがって、干渉を用いた表示装置では、単純に条件等色のＲ＋Ｇ＋Ｂサブ画素群の発光とＷサブ画素の発光とを混合しても所望の白の色度座標を得ることはできない。
【００４５】
上記Ｒ＋Ｇ＋Ｂサブ画素群の発光の干渉後のスペクトラムが図１０であり、Ｗサブ画素の発光の干渉後のスペクトラムが図２４である。そして、これらのスペクトラムを混合した場合には図２５のようなスペクトラムの発光が得られる。この形状は、図１０とも図２４とも違う形状であることから、所望の白の色度座標を得られないことが判る。
【００４６】
そこで、本発明の表示装置は、反射層と、発光層とが積層されている発光素子を複数有し、各発光素子は、前記発光層から前記反射層に向かい前記反射層で反射する光と、前記発光層から前記反射層とは反対側に向かう光との干渉を用いた表示装置とした。そして、第１の発光素子と、第１の発光素子とは異なる発光色の第２の発光素子と、第１の発光素子の発光と第２の発光素子の発光とを混合したスペクトルと同一の発光スペクトルを有する第３の発光素子と、を有する構成とした。
【００４７】
すなわち、第１の発光素子の発光と第２の発光素子の発光とを混合して得られる発光（「サブ画素群の混合光」）と、第３の発光素子の発光（「条件等色のサブ画素からの発光」）との発光スペクトルの形状を略一致させるようにした。
【００４８】
その具体的な手段としては、以下の手段がある。
（１）第１の発光素子と第２の発光素子とを基板に積層する。第３の発光素子は、前記第１の発光素子の発光スペクトラムを有する発光材料と前記第２の発光素子の発光スペクトラムを有する発光材料とが、前記基板における前記第１の発光素子と前記第２の発光素子とを積層した同一基板面上に複数積層されている構成とする。
（２）第１の発光素子と第２の発光素子とを基板に配置する。第３の発光素子は、前記第１の発光素子の発光スペクトラムを有する発光材料と前記第２の発光素子の発光スペクトラムを有する発光材料とが、前記基板における前記第１の発光素子と前記第２の発光素子とを配置した同一基板面上に複数配置されている構成とする。
【００４９】
つまり、上記（２）の構成は、第１、第２の発光素子のサブ画素を別に設け、サブ画素を互いに接続して第３の発光素子を構成するものである。
【００５０】
なお、第１の発光素子、第２の発光素子、第３の発光素子は上記の構成に限らず、「サブ画素群の混合光」と同一のスペクトラムを有する発光材料の合成により「第３の発光素子の発光」を得るようにしても良い。
【００５１】
ここで、スペクトラム（形状）が同一とは、「サブ画素群の混合光」と「条件等色のサブ画素からの発光」との発光波長のピーク値の数が等しく、ピーク波長が±５ｎｍ以内に揃っており、半値幅が±５ｎｍ以内に揃っている条件をいう。
【００５２】
ちなみに、以下の各実施形態は、第１の発光素子及び第２の発光素子の発光と、第３の発光素子の発光との間で発光スペクトル形状を同じにするという概念を拡張したものである。具体的には、第１の発光素子乃至第３の発光素子の発光と、第４の発光素子の発光との間で発光スペクトル形状を同じにしたものである。また本発明は、サブ画素群に用いられる発光素子は２つや３つに限られず、複数の発光素子の発光を混合するものであればいくつでもよい。以下の各実施形態では、第１の発光素子、第２の発光素子及び第３の発光素子として、それぞれＲ（赤色），Ｇ（緑色），Ｂ（青色）の発光素子を用い、第４の発光素子としてＷ（白色）の発光素子を用いている。
【００５３】
＜実施形態１＞
本実施形態は、上記（１）の構成を採用した表示装置に関する。
【００５４】
表示面内に図１に示す色度座標で示されるＲ，Ｇ，Ｂの各発光素子で構成されるＲ＋Ｇ＋Ｂサブ画素群、及び図２に示す色度座標で示されるＷサブ画素を隣り合わせて配置した。ここで、図２のＷサブ画素の色度座標は図１のＷの色度座標と同じである。この表示装置において目標の白色は図１、２のＷの色度座標としている。
【００５５】
以下に、これらの色度座標の発光材料のスペトラム関係をより具体的に述べる。
【００５６】
Ｒ発光材料は図３で示されるＰＬスペクトラム形状、Ｇ発光材料は図４で示されるＰＬスペクトラム形状、Ｂ発光材料は図５で示されるＰＬスペクトラム形状であった。また、Ｒ＋Ｇ＋Ｂサブ画素群の発光のＰＬスペクトラムは図６の形状であった。
【００５７】
Ｗサブ画素の発光は前記Ｒ，Ｇ，Ｂの発光素子の発光を所定の比率で混合した図６のＰＬスペクトラムと等しくになるようにしている。したがって、これら２種の白のＰＬ発光の色度座標は条件等色であり、スペクトラム形状も等しくなり、図７に示すＲ＋Ｇ＋Ｂサブ画素群の発光と、図８に示すＷサブ画素の発光とのスペクトル関係になる。
【００５８】
これらの材料を用い、図９に示すデバイス構造の干渉を用いた発光素子を作製した。前記デバイス構造のＲ，Ｇ，Ｂの発光素子からなるＲ＋Ｇ＋Ｂサブ画素群の白発光及びＷサブ画素の白発光のスペクトラムは、図１０に示す形状となる。それぞれの色度座標を測定すると、干渉後の白の色度座標はともに表５に示すように等しくなる。
【００５９】
【表５】
2009037215.tif 000007
【００６０】
一方、干渉後の両光を混合したスペクトラムは図１１に示す形状となり、このスペクトラムの白の色度座標を表６に示す。
【００６１】
【表６】
2009037215.tif 000008
【００６２】
このようにスペクトラム形状が同一の場合には、干渉を用いたＲ＋Ｇ＋Ｂサブ画素群の発光にＷサブ画素の発光を混合しても、白の座標がずれることはなくなった。これは、前述した図２３のスペクトラム形状を示すＷサブ画素の発光の場合にも適用され、もう一方のサブ画素をＢとＹとの発光素子で構成し、その混合スペクトラムを同一としても同じ効果が得られる。これらから判るように、色が混合されて他の１色を作れるものであれば、サブ画素の数は、１，２、…ｎ（ｎ：整数）であって良い。
【００６３】
上述した第１の発光素子の発光と第２の発光素子の発光との混合スペクトルと、第３の発光素子の発光のスペクトルとを合わせるために、次の構成とした。
【００６４】
即ち、図１２の如きＲ，Ｇ，Ｂの各発光素子を縦に積層したサブ画素群と、このＲ＋Ｇ＋Ｂ画素群の発光の混合スペクトラムと同一のスペクトラムの発光材料を複数積層し、Ｗの発光素子を複数積層したサブ画素とを組み合わせた画素を有する表示装置を作製した。この表示装置は、具体的には、図１３に示されるものである。図１４は前記表示装置のサブ画素配置を示し、ここでは判りやすいように２画素分の配置を示している。
【００６５】
ちなみに、図中、２６はガラス基板、２７は干渉を起こさせるための反射板である。３２は透明導電層であり、例えばＩＴＯやＩＺＯなどの透明酸化物導電材料が用いられる。２０は透明電極、２１が正孔を発光層に注入転送する層、２３はＢ発光層、２４はＲ発光層である。２５がＧ発光層、２２が陰極からの電子を発光層に注入転送する層である。２８はＢ発光素子に供給される駆動電流、２９はＲ発光素子に供給される駆動電流、３０はＧ発光素子に供給される駆動電流、３１はＷサブ画素に供給される駆動電流である。つまり、Ｒ＋Ｇ＋Ｂサブ画素群は発光材料を積層した構成であり、Ｗサブ画素も発光材料を複数積層した構成である。なお、発光素子を有機発光素子（有機ＥＬ素子）とすると、比較的構成が簡単で薄い表示装置を構成することができる。
【００６６】
上記構成の表示装置は、Ｒ＋Ｇ＋Ｂサブ画素群の発光の混合スペクトラムと、Ｗサブ画素の発光のスペクトラムとが同一である。そのため、Ｒ＋Ｇ＋Ｂサブ画素群とＷサブ画素との発光スペクトルが等しくなり、干渉を用いた表示装置であっても、Ｒ＋Ｇ＋Ｂサブ画素群の発光とＷサブ画素の発光とを混合したことによる白の色ずれが起こらない。
【００６７】
＜実施形態２＞
本実施形態は、上記（２）の構成を採用した表示装置に関する。
【００６８】
第１の発光素子の発光と第２の発光素子の発光との混合スペクトルと、第３の発光素子の発光スペクトルを合わせるために、図１５の如き表示装置を作製した。尚、図１５で示される表示装置は、Ｒ，Ｇ，Ｂの発光素子と、Ｗサブ画素としてのＲ’，Ｇ’，Ｂ’の発光素子とを組み合わせたサブ画素配置の表示装置である。
【００６９】
即ち、以下に示すサブ画素を組み合わせた画素を有する表示装置を作製した。
（ｉ）    Ｒの発光素子からなるサブ画素
（ｉｉ）  Ｇの発光素子からなるサブ画素
（ｉｉｉ）Ｂの発光素子からなるサブ画素
（ｉｖ）  Ｒ＋Ｇ＋Ｂサブ画素群の発光の混合スペクトラムと同一のスペクトラムの発光材料を配置して形成したＲ’，Ｇ’，Ｂ’の発光素子からなるＷサブ画素
【００７０】
Ｒ，Ｇ，Ｂの発光素子及びＲ’，Ｇ’，Ｂ’の発光素子のデバイス構造は、図９の如きデバイス構造としている。
【００７１】
これらの平面配置されたＲ，Ｇ，Ｂの各サブ画素には、図１６（Ａ）に示すように個別の駆動電流が供給され発光する。また、Ｗサブ画素としてのＲ’，Ｇ’，Ｂ’の発光素子には、図１６（Ｂ）に示すように３素子が直列に接続されて同時に駆動電流が供給され発光する。
【００７２】
これにより、Ｒ＋Ｇ＋Ｂサブ画素群とＷサブ画素との発光スペクトルが同一になり、干渉を用いた表示装置であっても、Ｒ＋Ｇ＋Ｂサブ画素群の発光とＷサブ画素の発光とを混合したことによる白の色ずれが起こらない。
【００７３】
なお、図１５のサブ画素の配置は、基板の一側面にＲ，Ｇ，Ｂのサブ画素群と、Ｒ’，Ｇ’，Ｂ’の発光素子とを配置しているが、基板の他側面におけるＲ，Ｇ，Ｂのサブ画素の下方位置にそれぞれＲ’，Ｇ’，Ｂ’の発光素子を配置しても良い。
【００７４】
ちなみに、本実施形態の発光素子も有機発光素子（有機ＥＬ素子）とすると、比較的構成が簡単で薄い表示装置を構成することができる。
【００７５】
＜実施形態３＞
本実施形態では、表示装置を視認する角度（視野角）が変化しても、Ｒ＋Ｇ＋Ｂサブ画素群の発光色とＷサブ画素の発光色が共に同じように変化するため、両者の発光色で色度差が生じないことを説明する。
【００７６】
上記と同様に干渉効果を用いた図９のデバイス構造を有するＲ，Ｇ，Ｂの発光素子に更にＢの発光素子を加えたサブ画素群の白発光及びＷサブ画素の白発光の色度座標を測定した。表７、表８にそれぞれの白の色度座標を示す。Ｒ，Ｇ，Ｂの発光素子の発光を混合した場合には、表３のような色度座標であったが、Ｒ，Ｇ，Ｂの発光素子の発光に更にＢの発光素子の発光を混合することにより表７のようにＷサブ画素の発光の色度座標である表８と同じ条件等色にした。
【００７７】
【表７】
2009037215.tif 000009
【００７８】
【表８】
2009037215.tif 000010
【００７９】
この場合、上述したように干渉を用いた表示装置では、これら条件等色のＲ＋Ｇ＋Ｂ（＋Ｂ）サブ画素の発光とＷサブ画素の発光との色度座標を合わせたときの混合比率から、同混合比率を変えたときに所望の白の色度座標を得ることはできなかった。
【００８０】
また、視野角を表示面の法線方向から傾けていき、０度と６０度の図１７のスペクトラムで示されるＲ＋Ｇ＋Ｂ（＋Ｂ）サブ画素群の発光、及び図１８のスペクトラムで示されるＷサブ画素の発光の色度座標を測定した。結果は、表９及び表１０のようになり、表示装置の色度座標が条件等色になるようにＢの発光素子を加えたとしても、視野角を表示面の法線方向から傾けて干渉条件が変わると所望の白の色度座標を得ることはできなかった。
【００８１】
【表９】
2009037215.tif 000011
【００８２】
【表１０】
2009037215.tif 000012
【００８３】
そこで、上記実施形態１のように、図１に示す色度座標で表されるＲ＋Ｇ＋Ｂサブ画素群の発光（混合光）と、図２に示す色度座標で表されるＷサブ画素の発光とを隣接して配置した。ここで、図２のＷサブ画素の発光の色度座標は図１のＷの色度座標と同じである。この表示装置において目標の白色は図１、２のＷの色度座標としている。
【００８４】
以下に、これらの色度座標の発光材料のスペトラム関係をより具体的に述べる。
【００８５】
Ｒ発光材料は図３で示されるＰＬスペクトラム形状、Ｇ発光材料は図４で示されるＰＬスペクトラム形状、Ｂ発光材料は図５で示されるＰＬスペクトラム形状であった。また、Ｒ＋Ｇ＋Ｂサブ画素群の発光のＰＬスペクトラムは図６の形状であった。
【００８６】
Ｗサブ画素の発光は前記Ｒ，Ｇ，Ｂの発光素子の発光を所定の比率で混合した図６のＰＬスペクトラムと等しくなるようにしている。したがって、これら２種の白のＰＬ発光の色度座標は条件等色であり、スペクトラム形状も等しくなり、図７に示すＲ＋Ｇ＋Ｂサブ画素群の発光と図８に示すＷサブ画素の発光とのスペクトル関係になる。
【００８７】
この場合、干渉を用いた表示装置で、これら条件等色のＲ＋Ｇ＋Ｂサブ画素群の発光とＷサブ画素の発光との色度座標を合わせた混合比率から、同混合比率を変えたときにも所望の白の色度座標を得ることができた。
【００８８】
また、視野角を表示面の法線方向から傾けていき、０度と６０度のＲ＋Ｇ＋Ｂサブ画素群の発光及びＷサブ画素の発光の色度座標を測定した。結果は、Ｒ＋Ｇ＋Ｂサブ画素群の発光及びＷサブ画素の発光ともに表１１のようになり、図１９のスペクトラムの混合光は、視野角を表示面の法線方向から傾けて干渉条件が変わっても所望の白の色度座標を得ることができた。
【００８９】
これは、Ｒ＋Ｇ＋Ｂサブ画素群の混合スペクトルが視野角で変化していくと、Ｗ画素のスペクトルも同様に変化する。そのため、これらＲ＋Ｇ＋Ｂサブ画素群の発光の混合スペクトルの変化とＷサブ画素の発光のスペクトルの変化とが加算されても、Ｒ＋Ｇ＋Ｂ＋Ｗサブ画素群の発光の混合スペクトルと等しく変化するためである。
【００９０】
【表１１】
2009037215.tif 000013
【００９１】
ちなみに、本実施形態の発光素子も有機発光素子（有機ＥＬ素子）とすると、比較的構成が簡単で薄い表示装置を構成することができる。
【００９２】
＜実施形態４＞
上記構成の表示装置を表示部として有する撮像装置（例えばデジタルカメラ）を構成すると、上述した効果を有する撮像装置を実現できる。
【図面の簡単な説明】
【００９３】
【図１】Ｒ，Ｇ，Ｂの発光素子の発光とその混合光のＣＩＥ色度座標図である。
【図２】Ｗ発光素子のＣＩＥ色度座標図である。
【図３】Ｒ発光材料のＰＬスペクトラム図である。
【図４】Ｇ発光材料のＰＬスペクトラム図である。
【図５】Ｂ発光材料のＰＬスペクトラム図である。
【図６】Ｒ＋Ｇ＋Ｂサブ画素群の混合光のＰＬスペクトラム図である。
【図７】Ｒ＋Ｇ＋Ｂサブ画素群の発光スペクトル図である。
【図８】Ｗサブ画素群の発光スペクトル図である。
【図９】発光素子の構造を説明する図である。
【図１０】干渉を用いた表示装置のＲ＋Ｇ＋Ｂサブ画素群の発光スペクトラム図である。
【図１１】干渉を用いた表示装置のＲ＋Ｇ＋Ｂ＋Ｗサブ画素群の発光スペクトラム図である。
【図１２】干渉を用いた縦積み構造のＲ＋Ｇ＋Ｂサブ画素群の構造を示す図である。
【図１３】干渉を用いた縦積み構造のＷ画素の構造を示す図である。
【図１４】干渉を用いた縦積み構造のＲ，Ｇ，Ｂ，Ｗのサブ画素配置を示す図である。
【図１５】干渉を用いた平面構造のＲ，Ｇ，Ｂ，Ｗ（Ｒ’＋Ｇ’＋Ｂ’）のサブ画素配置を示す図である。
【図１６】平面構造のＲ，Ｇ，Ｂ，Ｗの発光素子駆動を示す図である。
【図１７】干渉を用いた表示装置のＲ＋Ｇ＋Ｂサブ画素群の０度と６０°の発光スペクトラム図である。
【図１８】干渉を用いた表示装置のＷ（Ｂ＋Ｙ）サブ画素の０度と６０°の発光スペクトラム図である。
【図１９】干渉を用いた表示装置のＲ＋Ｇ＋Ｂサブ画素群とＷ（Ｂ＋Ｙ）サブ画素との０度と６０°の発光スペクトラム図である。
【図２０】従来のＲ，Ｇ，Ｂ，Ｗのサブ画素配置を示す図である。
【図２１】従来の表示装置の縦構造を示す図である。
【図２２】従来のＲ，Ｇ，Ｂ，Ｗの発光素子を駆動する等価回路図である。
【図２３】Ｗサブ画素のＰＬスペクトラム図である。
【図２４】干渉を用いた表示装置のＷサブ画素の発光スペクトラム図である。
【図２５】干渉を用いた表示装置のＲ＋Ｇ＋Ｂ＋Ｗサブ画素の発光スペクトラム図である。
【符号の説明】
【００９４】
１０  基板
１１  反射電極
１２  正孔輸送層
１３  発光層
１４  電子輸送層
１５  電子注入層
１６  透明電極
２６  ガラス基板
２７  干渉を起こさせるための反射板
２０  透明電極
２１  正孔を発光層に注入転送する層
２３  Ｂ発光層
２４  Ｒ発光層
２５  Ｇ発光層
２２  陰極からの電子を発光層に注入転送する層
２８  Ｂ発光素子に供給される駆動電流
２９  Ｒ発光素子に供給される駆動電流
３０  Ｇ発光素子に供給される駆動電流
３１  Ｗ画素に供給される駆動電流
３２  透明導電層
【図１】
2009037215.tif 000014
【図２】
2009037215.tif 000015
【図３】
2009037215.tif 000016
【図４】
2009037215.tif 000017
【図５】
2009037215.tif 000018
【図６】
2009037215.tif 000019
【図７】
2009037215.tif 000020
【図８】
2009037215.tif 000021
【図９】
2009037215.tif 000022
【図１０】
2009037215.tif 000023
【図１１】
2009037215.tif 000024
【図１２】
2009037215.tif 000025
【図１３】
2009037215.tif 000026
【図１４】
2009037215.tif 000027
【図１５】
2009037215.tif 000028
【図１６】
2009037215.tif 000029
【図１７】
2009037215.tif 000030
【図１８】
2009037215.tif 000031
【図１９】
2009037215.tif 000032
【図２０】
2009037215.tif 000033
【図２１】
2009037215.tif 000034
【図２２】
2009037215.tif 000035
【図２３】
2009037215.tif 000036
【図２４】
2009037215.tif 000037
【図２５】
2009037215.tif 000038